(57)【要約】      （修正有）【課題】デマケーションラインに段があると、温水高圧洗浄時に使用する踏み板用ウオンドの端が段により浮き上がり、段の部分は仕上げ清掃としての温水高圧洗浄が出来ない。【解決手段】本体フレーム6を位置決め金具11に固定し、リール１に帯4を巻き付ける。帯4は、回転板3の外周を介して踏み板10のデマケーションライン底部に達し、案内ローラー9を通って巻取り用リール2に到達する。エスカレーターを前側方向に運転すると、踏み板10が移動し、デマケーションライン底部に密着した帯で拭き掃除が自動的に行える。【選択図】図１
2012240847.tif 000002
【特許請求の範囲】
【請求項１】
エスカレーター踏み板におけるデマケーションラインの溝の底部及び側壁面に帯状の繊維を押し当て、エスカレーターを運転することにより、底部及び側壁面の汚れを拭き取ることを特徴とする清掃装置。
【請求項２】
請求項１における、帯状の繊維をリールに巻き付け、該帯がデマケーションラインの底を通過して、もう一方のリールに巻き取る構造を特徴とする清掃装置。
【請求項３】
請求項１における清掃装置を、エスカレーターの踏み板に適切な位置に配置・保持する位置決め保持機能を有した、エスカレーター踏み板におけるデマケーションライン清掃装置。
【発明の詳細な説明】
【技術分野】
【０００１】  エスカレーター踏み段の清掃に関する。
【背景技術】
【０００２】  エスカレーター踏み板掃除は、ブラシの回転による塵の掻き出しとバキュームクリーナーによる吸い取りを行い、油汚れがある場合は、洗剤塗布後、温水高圧洗浄・汚水回収を行っていた。
【特許文献】特許第３０８４４３８号
【参考資料】
蔵王産業株式会社が輸入販売しているＣＩＭＥＸ−Ｘ４６  エスカレータークリーナー
【発明の開示】
【発明が解決しようとする課題】
【０００３】  設置後数年が経過したエスカレーター踏み板掃除において、踏み板に蓄積した塵及び機械油と一体となったスラッジ状の汚れの除去には、温水高圧洗浄及び同時に汚水回収する装置は有効であった。【０００４】  エスカレーターの踏み板面の両端にはデマケーションラインと呼ばれる黄色の部分があります。これはエスカレーター利用者が移動する踏み板と、移動しないエスカレーター本体の側板との間に履物等を引き込まないように、端から少し離れて立つ為の印としての意味があります。【０００５】  このデマケーションラインには端部に段を付けて、端を踏んだ時に違和感を与え、端に立たないように工夫し、利用者の安全を考慮した構造のものがあります。【０００６】  デマケーションラインに段があると、温水高圧洗浄時に使用する踏み板用ウオンドの端が段により浮き上がり気密が保たれない為、吸引力が低下して高圧水がウオンドの外に漏れることになるので、段の部分は仕上げ清掃としての温水高圧洗浄が出来ない状態であった。【０００７】  このデマケーションラインは踏み板の両端に３列から４列設置してあり、合成樹脂製のものが多く、鮮やかな黄色又は橙色を放っています。この為、わずかでも汚れが残っていると目に付くため、顧客が満足できない状況が多かった。【０００８】数ケ月ごとに行う定期清掃は、回転ブラシによる塵の掻き出しとバキュームクリーナーの組み合わせで行い、清掃単価と作業時間を抑えている。【０００９】  回転ブラシの掻き出しとバキュームクリーナーの組み合わせによる清掃は殆んどの塵を除去することが出来、室内の環境衛生面においては、充分機能を果たすものであるが、デマケーションラインの黄色い樹脂部分に残った汚れは僅かでも目立ち、見た目の満足は得られていなかった。
【課題を解決するための手段】
【００１０】デマケーションラインの溝部に残る僅かな汚れの除去には、拭き掃除による方法が有効と考えた。【００１１】デマケーションラインの溝部は幅６ミリメートル程度の為、帯状の繊維による拭き掃除をすることにより、残りの僅かな汚れを除去することが出来る。【００１２】帯状の繊維を該溝部に配置し、上部より板等により押さえておいて、エスカレーターを運転するとデマケーションライン含む踏み板が移動し、自動的に拭き掃除が出来る。【００１３】長い帯を用意し、拭き掃除で汚れが付着した部分を移動させることにより、清掃能力を確保する。【００１４】該装置を正確な位置に配置し、保持する金具を開発する。
【発明の効果】
【００１５】  デマケーションラインに僅かに残っていた汚れを帯状の繊維に付着させ、該繊維を移動することにより、被付着面が常に付着可能な状態が保たれ、黄色いデマケーションラインが綺麗になり、仕上がり精度が上がる。【００１６】  定期的な清掃の際、エスカレーター掃除機と該装置の組み合わせにより、環境衛生の維持と、見た目の満足が得られる。これにより施設利用者に安全性と清潔性が向上し、より良いサービスの提供が出来るもので、エスカレーター意匠部の管理に極めて有益性のあるものである。
【発明を実施する為の最良の形態】
【実施例】
【００１７】  以下、本発明の実施の形態を図１から図４に基づいて説明する。【００１８】  図１は清掃装置の右側面透視図であり、▲６▼の本体フレームを▲１１▼の位置決め金具に固定してある。▲１▼のリール１に帯を巻き付け、▲３▼の回転板の外周を介して▲１０▼の踏み板のデマケーションライン底部に達し、▲９▼の案内ローラーを通って▲２▼の巻取り用リール２に到達している。【００１９】  エスカレーターを前側方向に運転すると、踏み板が移動し、デマケーションライン底部に密着した帯で拭き掃除が自動的に行える。【００２０】  ▲８▼の固定レバーの右端部はフレームにボルトで固定している。左端部は▲２▼の巻取りリールの軸に取り付けてあり、ラチェット機能を備えており、巻取りリールの逆転防止の役割をしている。【００２１】  ▲７▼の操作レバー左端部は▲２▼リール２の巻取り用リールの軸に取り付けてあり、回転をして▲４▼の帯を巻き取る。端部はラチェット構造になっており、前後に動かすと▲２▼のリールが回転し、▲４▼の帯を巻き取ることが出来る。【００２２】▲３▼の回転板を支えている▲５▼可動フレームは、▲６▼本体フレームと▲１３▼の軸で連結されており、▲６▼を中心に上下に動くことができる。【００２３】  図２は正面図で、踏み板のデマケーションラインの端に段差があるが、▲３▼の回転板を支える▲５▼可動フレームが独立して上下に動くため、それぞれの底部に帯が密着している。【００２４】  図２の図では端の一段だけに段差があるが、メーカーによっては別々の高さで二段に段差があるものがある。この場合も▲５▼の可動フレームが独立して動く為、帯が底部に密着する。【００２５】  図３は本装置をエスカレーターのランディングプレートに設置して、左右のデマケーションラインを同時に清掃作業している図である。【００２６】▲１１▼の位置決め金具は、中央が伸縮するものでエスカレーターのインナーデッキの側板に両端を押し付けて固定している。【００２７】▲６▼のフレームを▲１１▼の位置決め金具にネジで固定し、エスカレーターを前向き（図では上方向）に運転して拭き作業をする。
【図面の簡単な説明】
【００２８】
【図１】右側面の透視図で、本装置の構造を表している。
【図２】正面図で帯が▲１▼リール１から▲３▼回転板を介して▲１０▼踏み板のデマケーションライン底部に達している図である。
【図３】本装置を上から見た図で、エスカレーターのランディングプレートに設置して、左右のデマケーションラインを同時に清掃作業している図である。
【図４】本装置を上から見た図で、右側に設置した拡大図である。▲２▼のリール２は▲１▼のリールの真下にあるため、表示していません。
【符号の説明】
【００２９】▲１▼  リール  １
▲２▼  リール  ２
▲３▼  回転板
▲４▼  帯
▲５▼  可動フレーム
▲６▼  本体フレーム
▲７▼  操作レバー
▲８▼  固定レバー
▲９▼  案内ローラー
▲１０▼  踏み板
▲１１▼  位置決め金具
▲１２▼  ランディングプレート
▲１３▼  軸
【図１】
2012240847.tif 000003
【図２】
2012240847.tif 000004
【図３】
2012240847.tif 000005
【図４】
2012240847.tif 000006